(57)【特許請求の範囲】
【請求項１】
回転軸の上側に軸支される上側回転板と、
前記回転軸の下側に軸支される下側回転板と、
前記上側回転板及び前記下側回転板の間に介在し、複数の商品収納室を画成する、前記回転軸に対して放射状に配置される複数の仕切板と、を備え、
前記上側回転板及び前記下側回転板は、商品の販売時、販売するべき商品を収納する一の前記商品収納室が商品取出口に対向するように回転し、
前記仕切板は、前記下側回転板に固定される下側仕切板と、前記上側回転板及び前記下側仕切板の間をスライドしながら装着される上側仕切板と、を有し、
前記上側仕切板及び前記下側仕切板は、前記上側仕切板が前記上側回転板及び前記下側仕切板の間をスライド可能な所定位置で係合することにより、前記上側仕切板が前記回転軸とは反対方向に抜けることを防止する第１突起部材、を有し、
前記上側仕切板が前記上側回転板及び前記下側仕切板の間をスライドする際の、前記上側仕切板の前記回転軸とは反対側の面に突設される第２突起部材と、
前記第１突起部材同士が係合する手前の位置で前記上側仕切板が停止した状態である場合、前記上側回転板及び前記下側回転板が回転することにより、前記第１突起部材同士が係合するように、前記第２突起部材を前記回転軸の方向に押圧する押圧部材と、を更に備えた
ことを特徴とする自動販売機の商品収納装置。
【請求項２】
前記上側仕切板及び前記下側仕切板の前記第１突起部材の少なくとも一方は、係合する際に弾性力を生じる弾性部材である、
ことを特徴とする請求項１に記載の自動販売機の商品収納装置。
【請求項３】
前記押圧部材は、前記上側回転板及び前記下側回転板を取り囲む筐体の内側面に立設される突片である、
ことを特徴とする請求項１に記載の自動販売機の商品収納装置。
【請求項４】
前記突片は、前記筐体における前記商品取出口の近傍に立設される、
ことを特徴とする請求項３に記載の自動販売機の商品収納装置。
【発明の詳細な説明】
【技術分野】
【０００１】
本発明は、自動販売機の商品収納装置に関する。
【背景技術】
【０００２】
例えば、上側回転板及び下側回転板の間で回転軸に対して放射状に配置される複数の仕切板により画成された複数の商品収納室のうち、販売するべき商品を収納する一の商品収納室が商品取出口に対向するように、この上側回転板及び下側回転板を回転する商品収納装置を備えた自動販売機が知られている（特許文献１参照）。ここで、上側回転板及び下側回転板は、回転軸の上側及び下側にそれぞれ軸支されている。
【０００３】
この商品収納装置では、複数の商品収納室のそれぞれに商品を収納する場合、例えば、ルートマンが上側回転板及び下側回転板を回転させつつ商品取出口を通じて商品収納室に商品を収納するようになっている。
【特許文献１】特開２００１−２６６２３８号公報
【発明の開示】
【発明が解決しようとする課題】
【０００４】
前述した商品収納装置では、複数の仕切板のうちの一部に対し交換や洗浄等を行う場合、ルートマンは、例えば、上側回転板を回転軸から取り外した後に、該当する仕切板に対しこのようなメンテナンスを施す必要がある。或いは、もし回転軸が前記商品収納装置を収納する筐体に固定されているタイプの自動販売機の場合、ルートマンは、例えば、複数の商品収納室をともなった上側回転板及び下側回転板を回転軸から取り外した後に、上側回転板を取り外す必要がある。  
また、前述した商品収納装置では、商品収納室の数や大きさ等を変更する場合にも、ルートマンは、例えば、上側回転板を回転軸から取り外したり、当該取り外しの前に複数の商品収納室をともなった上側回転板及び下側回転板を回転軸から取り外したりする必要がある。  
以上、商品収納室のメンテナンスや各種変更等の作業が容易ではないという問題がある。
【０００５】
更に、前述した商品収納装置では、商品収納室の数が多いほど、ルートマンによる商品収納のための作業時間が長くなる。一方、もしこの作業時間を短縮するために一の商品収納室内に一の商品を配置するルートマンの基本動作を速めた場合、商品収納室から商品がはみ出す確率が高くなる可能性がある。この場合、上側回転板及び下側回転板が回転する際に、はみ出した商品が例えば商品収納室と筐体の内側面との間に挟まって回転が停止して、自動販売機が商品を販売できなくなる虞がある。  
以上、上側回転板及び下側回転板の回転に支障が起きない程度の丁寧さで多数の商品収納室に商品を収納する作業が容易ではないという問題がある。
【０００６】
本発明はかかる課題に鑑みてなされたものであり、その目的とするところは、商品販売準備にかかる作業負荷の少ない商品収納装置を備えた自動販売機を提供することにある。
【課題を解決するための手段】
【０００７】
前記課題を解決するための発明は、回転軸の上側に軸支される上側回転板と、前記回転軸の下側に軸支される下側回転板と、前記上側回転板及び前記下側回転板の間に介在し、複数の商品収納室を画成する、前記回転軸に対して放射状に配置される複数の仕切板と、を備え、前記上側回転板及び前記下側回転板は、商品の販売時、販売するべき商品を収納する一の前記商品収納室が商品取出口に対向するように回転し、前記仕切板は、前記下側回転板に固定される下側仕切板と、前記上側回転板及び前記下側仕切板の間をスライドしながら装着される上側仕切板と、を有してなる自動販売機の商品収納装置である。
【０００８】
この自動販売機の商品収納装置によれば、先ず下側仕切板を下側回転板に固定し、次に上側仕切板を上側回転板及び下側仕切板の間をスライドしながら装着することにより、上側回転板及び下側回転板の双方が回転軸に軸支された状態で仕切板の取り付けができる。逆に、先ず上側仕切板を上側回転板及び下側仕切板の間をスライドしながら取り外し、次に下側仕切板を下側回転板から取り外すことにより、上側回転板及び下側回転板の双方が回転軸に軸支された状態で仕切板の取り外しができる。これにより、例えば、複数の仕切板のうちの一部に対し交換や洗浄等を行う場合、ルートマンは、上側回転板及び下側回転板の双方が回転軸に軸支され且つ他の仕切板が装着されている状態で、該当する仕切板のみを取り外してこのようなメンテナンスを施した後に元の位置に取り付けることができる。また、例えば、商品収納室の数や大きさ等を変更する場合、ルートマンは、上側回転板及び下側回転板の双方が回転軸に軸支され且つ仕切板が装着されている状態で、該当する仕切板のみを所定の位置に取り付けたり又は所定の位置から取り外したりすることができる。以上から、この自動販売機の商品収納装置によれば、商品販売準備にかかる作業負荷の少ない商品収納装置を備えた自動販売機を提供できる。
【０００９】
また、かかる自動販売機の商品収納装置において、前記上側仕切板及び前記下側仕切板は、前記上側仕切板が前記上側回転板及び前記下側仕切板の間をスライド可能な所定位置で係合することにより、前記上側仕切板が前記回転軸とは反対方向に抜けることを防止する第１突起部材、を有する、ことが好ましい。  
この自動販売機の商品収納装置によれば、上側仕切板を下側仕切板に対し回転軸の方向にスライドしながら第１突起部材を所定位置で係合させれば、その後の上側仕切板の抜けが防止される。これにより、上側回転板及び下側回転板の間に仕切板が一旦確実に取り付けられれば、例えば上側回転板及び下側回転板の回転中にこの仕切板が外れる等の不具合が生じ難くなり、よって商品販売に支障をきたさない。
【００１０】
また、かかる自動販売機の商品収納装置において、前記上側仕切板及び前記下側仕切板の前記第１突起部材の少なくとも一方は、係合する際に弾性力を生じる弾性部材である、ことが好ましい。  
この自動販売機の商品収納装置によれば、上側仕切板を下側仕切板に対し回転軸の方向にスライドしながら第１突起部材を所定位置で係合させる際、この上側仕切板を、一方の第１突起部材の弾性力に抗する力で、同方向に押しさえすればよい。これにより、仕切板の取り付け作業が容易になる。
【００１１】
また、かかる自動販売機の商品収納装置において、前記上側仕切板が前記上側回転板及び前記下側仕切板の間をスライドする際の、前記上側仕切板の前記回転軸とは反対側の面に突設される第２突起部材と、前記第１突起部材同士が係合する手前の位置で前記上側仕切板が停止した状態である場合、前記上側回転板及び前記下側回転板が回転することにより、前記第１突起部材同士が係合するように、前記第２突起部材を前記回転軸の方向に押圧する押圧部材と、を更に備えたことが好ましい。  
この自動販売機の商品収納装置によれば、もし上側仕切板の取り付け時に前記第１突起部材同士が係合していなかった場合でも、上側回転板及び下側回転板の回転時に押圧部材が当該上側仕切板の第２突起部材を回転軸の方向に押圧することにより、前記係合が達成される。つまり、例えば、商品販売準備において、もし仕切板の取り付けが確実でなかった場合でも、商品販売前に上側回転板及び下側回転板を一度回転させることにより、前記取り付けを確実なものとできる。或いは、例えば、商品販売準備時に仕切板の取り付けが確実でなかった場合でも、商品販売時に上側回転板及び下側回転板が回転することにより、前記取り付けが確実なものとなり得る。これにより、結果的に、仕切板の取り付け作業が容易になる。
【００１２】
また、かかる自動販売機の商品収納装置において、前記押圧部材は、前記上側回転板及び前記下側回転板を取り囲む筐体の内側面に立設される突片である、ことが好ましい。  
この自動販売機の商品収納装置によれば、筐体は、上側回転板及び下側回転板を取り囲む機能と、前記押圧部材としての機能との双方を兼ね備えることができる。
【００１３】
また、かかる自動販売機の商品収納装置において、前記突片は、前記筐体における前記商品取出口の近傍に立設される、ことが好ましい。  
この自動販売機の商品収納装置によれば、例えば、商品販売準備時において、自動販売機の正面側の商品取出口を通じて上側回転板及び下側回転板の間に上側仕切板及び下側仕切板を取り付けた後にこの上側回転板及び下側回転板を所定の回転方向に回転させれば、突片は該当する第２突起部材を押圧し得るため、仕切板の取り付けが商品販売前に確実になる。或いは、例えば、商品販売時において、待機時に自動販売機の奥側に位置していた商品収納室が上側回転板及び下側回転板の所定の回転方向の回転にともない商品取出口に向かって移動する際、当該商品収納室が商品取出口と対向する前に突片は該当する第２突起部材を押圧し得るため、仕切板の取り付けが商品販売前に確実になる。
【００１４】
また、前記課題を解決するための発明は、複数の商品収納室を画成する、回転軸に対して放射状に配置される複数の仕切板を有し、商品の販売時、販売するべき商品を収納する一の前記商品収納室が商品取出口に対向するように回転する回転板と、上側に向かうほどに前記回転板との距離が長くなり、且つ、前記回転板の回転方向に向かうほどに前記回転板との距離が短くなる形状を有し、前記商品収納室に収納される商品のはみ出しを防止する防止板と、を備えてなる自動販売機の商品収納装置である。
【００１５】
この自動販売機の商品収納装置によれば、もし商品収納室から商品がはみ出している場合には、回転板とともに回転する商品は、防止板を通過する際に当該防止板に案内されて商品収納室に確実に収納される。即ち、はみ出した商品が防止板に当接するとき、当接している間中そのはみ出した部分が防止板により上側から下側へ向かって案内されるとともに、当接時間の経過につれてそのはみ出した部分が防止板により回転板の中心へ向かって案内される。よって、もし商品収納時に、一部の商品収納室の収納が不完全であった場合でも、回転板の回転時に、はみ出した商品を防止板が商品収納室に案内することにより、商品の収納が完全なものとなる。従って、例えばルートマンが、商品収納時間の短縮のために一の商品収納室内に一の商品を配置する基本動作を単純に速めた結果、商品収納室から商品がはみ出す確率がたとえ高くなったとしても、例えば商品販売時に回転板が回転すれば、はみ出した商品は商品収納室に確実に収納される。これにより、結果的に、商品収納作業が容易になる。
【発明の効果】
【００１６】
商品販売準備にかかる作業負荷の少ない商品収納装置を備えた自動販売機を提供できる。
【発明を実施するための最良の形態】
【００１７】
===自動販売機の構成===
図１及び図２を参照しつつ、本実施の形態の自動販売機１の構成例について説明する。尚、図１は、本実施の形態の自動販売機１の外観構成例を示す正面図である。図２は、本実施の形態の商品取出装置３及び商品収納装置５の構成例を示す斜視図である。
【００１８】
図１に例示されるように、本実施の形態の自動販売機１は、商品を収納する本体（筐体、不図示）の開口面に対し前扉（筐体）２が開閉可能に設けられて構成されている。同図に例示される前扉２は、商品取出装置３、紙幣挿入口２１、硬貨投入口２２、返却レバー２３、返却口２４、及びハンドル２５を備えている。
【００１９】
商品取出装置３は、鉛直方向（Ｚ軸方向）に長尺な矩形状の枠体３１と、この枠体３１の内側で鉛直方向に複数ユニット並設される扉開閉装置４０とを備えている。また、枠体３１上には、扉開閉装置４０ごとに、利用者が商品購入時に押下するための販売釦３２が設けられている。  
紙幣挿入口２１は、利用者が商品を購入する代金を支払うべく紙幣を挿入するためのものであり、前扉２における設置箇所裏側（図１の紙面裏側）には、挿入された紙幣の金額等を検出するための所定の手段（不図示）が設けられている。  
硬貨投入口２２は、利用者が商品を購入する代金を支払うべく硬貨を投入するためのものであり、前扉２における設置箇所裏側（図１の紙面裏側）には、投入された硬貨の金額等を検出するための所定の手段（不図示）が設けられている。  
返却レバー２３は、利用者が紙幣挿入口２１又は硬貨投入口２２を通じて一旦支払った紙幣又は硬貨を返却するためのものである。本実施の形態では、紙幣は紙幣挿入口２１から返却され、硬貨は返却口２４から返却されるようになっている。  
返却口２４は、利用者が支払った金銭に対する釣銭を硬貨で返却したり、利用者が支払った金銭と同額の金銭を返却レバー２３の操作を通じて硬貨で返却したりするためのものである。  
ハンドル２５は、例えばルートマンが本体の開口面に対し前扉２を開閉するべく手で把持するためのものである。
【００２０】
図２に例示されるように、商品取出装置３では、扉開閉装置４０が、枠体３１を構成する鉛直方向（Ｚ軸方向）の一対の化粧フレーム３１ａ、３１ｂに対して取り付けられている。この扉開閉装置４０の正面は、一対の矩形状をなす扉４１ａ、４１ｂが商品販売待機時に水平方向中央を境にして当接するように構成されている。この一対の扉４１ａ、４１ｂは、間にレール台４２を挟んで、鉛直方向に沿って複数ユニット並んでいる。ここで、本実施の形態では、扉４１ｂ（図１の紙面左側の扉）は、レール台４２に固定されている一方、扉４１ａ（図１の紙面右側の扉）は、レール台４２に対し開口面に沿って横方向（Ｙ軸方向）に摺動可能に支持されている。
【００２１】
本体側に設けられている商品収納装置５は、複数ユニットの扉開閉装置４０のそれぞれに対し、円柱形状をなす商品収納装置１０が鉛直方向に複数ユニット配置されて構成されており、各商品収納装置１０は、自動販売機１を貫く仮想的な鉛直線を中心として放射状に並ぶ仕切板１２２によって仕切られて複数の商品収納室１２４に画成されている。これら複数の商品収納室１２４は、商品販売の都度、前記仮想的な鉛直線を中心として所定方向に回転するように構成されている。前述した一対の扉４１ａ、４１ｂは、商品収納装置１０の円柱形状の側部外周面に沿って湾曲した形状をなしており、この湾曲した扉４１ａ、４１ｂの裏面が、自動販売機１の正面側にある商品収納室１２４の各開口面と対向するようになっている。
【００２２】
尚、本実施の形態の自動販売機１が販売する商品は、例えば所定の包装が施された食品であり、また例えば複数の扉開閉装置４０ごとに種類が異なるものである。利用者は、例えば、透明の扉４１ａ、４１ｂを通じて商品収納室１２４の内部の商品を視認でき、購入の際には、所望の商品に対応する扉開閉装置４０（即ち、商品収納装置１０）に隣接する販売釦３２を押下するようになっている。販売釦３２が押下されると、該当する商品収納装置１０は、商品が収納された商品収納室１２４が扉４１ａと対向するべく回転するようになっている。
【００２３】
===商品収納装置の構成===
図３乃至図９を参照しつつ、前述した商品収納装置１０の具体的な構成例について説明する。尚、図３は、本実施の形態の商品収納装置１０の構成例を示す斜視図である。図４は、本実施の形態の回転板（下側回転板）１２、天井板（上側回転板、回転板）１２３、並びに回転板１２及び天井板１２３を支持する支持板１２２’の構成例を示す斜視図である。図５は、本実施の形態の仕切板１２２の構成例を示す斜視図である。図６は、本実施の形態の下側仕切板１２２１の構成例を示す部分斜視図である。図７は、本実施の形態の仕切板１２２における図５に示す線ＡＢでの部分断面の構成例を示す部分断面図である。図８は、本実施の形態の固定板１１の構成例を示す平面図である。図９は、本実施の形態の固定板１１の構成例を示す斜視図である。
【００２４】
本実施の形態の商品収納装置１０は、回転板１２と、天井板１２３と、下側仕切板１２２１及び上側仕切板１２２２を有する仕切板１２２とを備えて構成されている。また、この商品収納装置１０は、更に、回転板１２を回転可能に支持する固定板１１と、回転板１２及び天井板１２３を支持する支持板１２２’及び支柱（回転軸）１２５とを備えて構成されている。尚、前述した回転板１２は、複数の商品収納室１２４の底板を形成するものである。
【００２５】
<<<回転板>>>
図３及び図４に例示されるように、円板状の回転板１２は、その中心から放射状に複数の仕切板１２２及び支持板１２２’が立設されて、これらの仕切板１２２及び支持板１２２’の総数と同数の略三角柱形状をなす商品収納室１２４がその上方に画成された例えば樹脂製の円板である。具体的には、図４に例示されるように、回転板１２上に、その回転軸に沿って例えば四角柱形状をなす中空な金属製の支柱１２５が立設されるとともに、この支柱１２５を中心として放射状に例えば４枚の支持板１２２’が立設され、この支柱１２５及び支持板１２２’上に、天井板１２３が設置されている。図４の例示のように固定された回転板１２、天井板１２３、及び４枚の支持板１２２’が形成する４分割された空間内に、下側仕切板１２２１と上側仕切板１２２２とがこの順に取り付けられたり、この逆順に取り外されたりするようになっている。
【００２６】
図３に例示されるように、回転板１２は側面にギア１２ａを備えており、このギア１２ａは固定板１１に設けられた歯車１１２と噛合するようになっている。
【００２７】
図３及び図４に例示されるように、回転板１２の表側（＋Ｚ側）には、ギア１２ａの内周側に隣接し環状をなす側壁１２ｃが形成されている。この側壁１２ｃの高さは、商品収納室１２４から商品が飛び出し難い一方、利用者が商品を取り出し易い所定の高さに設定されている。
【００２８】
図４に例示されるように、回転板１２の表側には、複数の下側仕切板１２２１を立設するための複数の挿入孔１２ｂが穿設されている。同図の例示では、挿入孔１２ｂは、回転板１２における複数の下側仕切板１２２１が立設可能な各立設位置に例えば３個並んで穿設されている。回転板１２には、例えば８、１６、及び２０分割が可能となるべく、２８個の立設位置について例えば３個ずつの挿入孔１２ｂが穿設されている。また、前述した側壁１２ｃの内側におけるこれら複数の立設位置に対応する位置に、回転板１２上に立設された下側仕切板１２２１を固定するための挿入孔１２ｄが穿設されている。更に、回転板１２の表側には、これら複数の立設位置のそれぞれに対し、対応する分割数が刻印されている。例えば回転板１２を２０分割する場合に下側仕切板１２２１を立設する立設位置の挿入孔１２ｂの近傍には「２０」が刻印されている。
【００２９】
尚、回転板１２における固定板１１と対向する面には、回転軸を中心とする所定の円軌跡上に複数の挿入孔１２ｂが貫通して露出し、その一部から後述する下側仕切板１２２１の突片１２２１ａが突出している。また、同面には、その中心に支柱１２５が回転板１２を貫通して固設され、その外周には、固定板１１上で回転板１２が回転するべく固定板１１上に固設された後述する案内ローラ１３が遊嵌するための溝１２ｅが形成され（図８参照）、更にその外周には、前記回転を円滑にするために例えば支持ローラ（不図示）が固設されている。この支持ローラは、固定板１１上を回転板１２が回転する際にともに回転して両板１１、１２間の摩擦を低減するためのものである。
【００３０】
<<<天井板>>>
図３に例示されるように、天井板１２３は、回転板１２と略同形状をなし、この回転板１２との間に、複数の商品収納室１２４を画成する例えば樹脂製の円板である。天井板１２３の裏側（−Ｚ側）には、上側仕切板１２２２をスライドするための溝１２３ａが形成されている。尚、同図では、天井板１２３において、裏側に形成された溝１２３ａが、表側（＋Ｚ側）に凸形状をなしている状態が例示されている。
【００３１】
また、天井板１２３には、支持板１２２’の突片（不図示）が挿入されて当該支持板１２２’を固定するための挿入孔１２３ｂが穿設されている。また、天井板１２３の表側の外周部には、上側仕切板１２２２の係止片１２２２ｇが係止されるための環状の溝１２３ｃが形成されている。また、天井板１２３の表側の中央部には、当該天井板１２３が支柱１２５の端部に固定されるための固定片１２３ｄが形成されている。
【００３２】
<<<仕切板>>>
図５乃至図７に例示されるように、仕切板１２２は、下側仕切板１２２１と、上側仕切板１２２２とを備えて構成されている。
【００３３】
<下側仕切板>
図５に例示されるように、下側仕切板１２２１は、略矩形状をなす例えば樹脂製の板であり、回転板１２側には、当該回転板１２の挿入孔１２ｂに挿入可能に突出する３つの突片１２２１ａ、１２２１ｂ、１２２１ｃを備えるとともに、当該回転板１２の側壁１２ｃの挿入孔１２ｄに挿入可能に突出する突片１２２１ｄを一体に備えている。
【００３４】
これらの突片１２２１ａ、１２２１ｂ、１２２１ｃ、１２２１ｄを、挿入孔１２ｂ、１２ｄに対し嵌脱することにより、下側仕切板１２２１は回転板１２に取り付け又は取り外しすることができる。例えば、先ず、３つの挿入孔１２ｂに３つの突片１２２１ａ、１２２１ｂ、１２２１ｃをそれぞれ挿入するように回転板１２上に下側仕切板１２２１を立設し、次に、側壁１２ｃの挿入孔１２ｄに突片１２２１ｄを挿入するように回転板１２上で下側仕切板１２２１を回転軸と反対側に少しスライドすることにより、下側仕切板１２２１を回転板１２上に取り付ける。つまり、本実施の形態では、回転板１２上の挿入孔１２ｂの径方向の長さは、前記スライドが可能となるように、突片１２２１ａ、１２２１ｂ、１２２１ｃの径方向の長さよりも少し長くなっている。尚、本実施の形態では、下側仕切板１２２１の取り付け時に回転軸と反対側に位置する突片１２２１ａは、検出器１１４の検出対象の機能も兼ねている。この検出器１１４は、回転板１２における固定板１１と対向する面の突片１２２１ａの通過を検出するべく、固定板１１上に固設されている。この検出器１１４を通じて、例えば、商品販売時に各商品収納室１２４を特定することができる。
【００３５】
また、下側仕切板１２２１において、取り付け時に回転軸と反対側に位置する縁１２２１ｈは、例えば当該下側仕切板１２２１の強度を確保するため及びルートマンが把持し易くするために、回転板１２の回転方向に幅広に形成されている。
【００３６】
更に、図６に例示されるように、下側仕切板１２２１は、天井板１２３側には、回転板１２の径方向に長尺であり且つ回転方向に幅広である被挟持部材１２２１ｉを一体に備えているとともに、当該被挟持部材１２２１ｉ上には、回転板１２の径方向に長尺であり且つ略矩形状をなす被挟持部材１２２１ｅが一体に立設されている。被挟持部材１２２１ｅは、下側仕切板１２２１の取り付け時に回転軸側に位置する部分において、被挟持部材１２２１ｉとの間に切り込みが形成されており、この部分は後述するように弾性片（第１突起部材、弾性部材）１２２１ｆとしての機能を果たすようになっている。この弾性片１２２１ｆは、一方側の側面に、略半円柱形状をなして上下方向に延在する突起１２２１ｇ（第１突起部材）を有している。尚、被挟持部材１２２１ｉ、１２２１ｅは、後述するように、上側仕切板１２２２の挟持部材１２２２ｃに挟持されつつこれがスライド可能な形状をなしている。
【００３７】
<上側仕切板>
図５に例示されるように、上側仕切板１２２２は、下側仕切板１２２１の長尺方向と同方向に長尺であり且つ略矩形状をなす本体１２２２ａと、下側仕切板１２２１の被挟持部材１２２１ｉ、１２２１ｅを挟持しつつこれに対してスライドするための挟持部材１２２２ｃと、天井板１２３の溝１２３ａに嵌入しつつこれに対してスライドするための嵌入部材１２２２ｂと、取り付け時に回転軸と反対側に位置する把持部材１２２２ｅとを例えば一体に備えた樹脂製の部材である。この把持部材１２２２ｅは、例えばルートマンが上側仕切板１２２２の取り付け時に把持するための部分であって、当該取り付け時に回転軸と反対側に位置する突起１２２２ｆ（第２突起部材）と、当該取り付け時に天井板１２３の溝１２３ｃに係止するための係止片１２２２ｇとを更に備えている。
【００３８】
特に、挟持部材１２２２ｃは、図５及び図６に例示されるように、被挟持部材１２２１ｅ、１２２１ｉの一側面に対し係止可能な鉤形状をなす部材である。挟持部材１２２２ｃは、この本体１２２２ａの下方側に対し、長尺方向に、被挟持部材１２２１ｅ、１２２１ｉの一側面を係止し次は他側面を係止するというように、交互に複数形成されている。各挟持部材１２２２ｃは、被挟持部材１２２１ｅと対向する内側面において、略半円柱形状をなして上下方向に延在する突起１２２２ｄ（第１突起部材）を有している。尚、このような交互に鉤形状をなす配置には、本実施の形態の上側仕切板１２２２を例えばプレス成形や射出成形等で一体成形する際に、その作業工程をより簡便なものにできるという利点がある。
【００３９】
以下、図７を参照しつつ、上側仕切板１２２２の挟持部材１２２２ｃの突起１２２２ｄと、下側仕切板１２２１の被挟持部材１２２１ｅにおける弾性片１２２１ｆの突起１２２１ｇとの係合について説明する。
【００４０】
同図に例示されるように、上側仕切板１２２２の複数の挟持部材１２２２ｃが下側仕切板１２２１の被挟持部材１２２１ｅを確実に挟持している場合、挟持部材１２２２ｃの突起１２２２ｄは被挟持部材１２２１ｅの突起１２２１ｇに対し、相互に隣接するとともに突起１２２２ｄが突起１２２１ｇよりもＢ側に位置するように係合している（所定位置）。
【００４１】
ここで、上側仕切板１２２２を図中のＡ側にスライドさせて下側仕切板１２２１から取り外す際に、突起１２２２ｄが図中のＡ側に変位して突起１２２１ｇと当接しこれに乗り上げると、弾性片１２２１ｆは図中の下側に曲がるようになっている。つまり、上側仕切板１２２２をスライドさせて下側仕切板１２２１から取り外す場合、弾性片１２２１ｆが図中の下側に曲がる分に相当する弾性力をもって、上側仕切板１２２２を図中のＡ側に引けばよい。同様に、上側仕切板１２２２をスライドさせて下側仕切板１２２１に取り付ける場合も、弾性片１２２１ｆが図中の下側に曲がる分に相当する弾性力をもって、上側仕切板１２２２を図中のＢ側に押せばよい。
【００４２】
図８に例示されるように、上側仕切板１２２２が天井板１２３及び下側仕切板１２２１の間をスライドしながら装着された後、回転板１２が所定の回転方向に回転すると、上側仕切板１２２２の把持部材１２２２ｅにおける突起１２２２ｆは、自動販売機１の扉開閉装置４０に固設された扉４１ｂ（筐体）の内側にある突片４１１ｂ（押圧部材）を通過するようになっている。同図に例示されるように、突片４１１ｂは、扉４１ｂにおける扉４１ａとの当接部分が例えば２片に分かれ且つ上下方向（Ｚ軸方向）に均一に内側（−Ｘ側）に突出した形状をなすものである。また、同図の例示では、突起１２２２ｆは、上側（＋Ｚ側）から見た場合に、上側仕切板１２２２のスライド方向に天井板１２３の回転軸から最も離れ、同方向を中心としてこの最も離れた位置から天井板１２３の回転方向及びその反対方向の双方向に向かって前記回転軸に近づく傾斜形状をなすものである。
【００４３】
<<<支持板>>>
図３に例示されるように、支持板１２２’は、仕切板１２２と略同形状をなす例えば樹脂製の板であり、回転板１２及び天井板１２３に対しネジ留め等により立設されるようになっている。尚、本実施の形態では、回転板１２上に、仕切板１２２が例えば最大１６枚まで立設可能となっており、支持板１２２’が例えば４枚立設することになっている。
【００４４】
図４に例示されるように、回転板１２上に支持板１２２’が例えば相互に９０°の角度をなすように４枚立設されている場合、隣接する２枚の支持板１２２’の間に仕切板１２２がそれぞれ１枚ずつ合計４枚立設されれば、８個の商品収納室１２４が画成される。或いは、隣接する２枚の支持板１２２’の間に仕切板１２２がそれぞれ３枚ずつ合計１２枚立設されれば、１６個の商品収納室１２４が画成される。或いは、隣接する２枚の支持板１２２’の間に仕切板１２２がそれぞれ４枚ずつ合計４枚立設されれば、２０個の商品収納室１２４が画成される。
【００４５】
<<<固定板>>>
図３、図８、及び図９に例示されるように、固定板１１は、略矩形状をなす例えば薄板状の鋼板であって、回転板１２の溝１２ｅと対向する位置に例えば３個の案内ローラ１３が固設されている。３個の案内ローラ１３は、回転板１２の回転軸（但し、仮想的）を中心とする円周を略３等分するように配置されている。各案内ローラ１３は、例えば、固定板１１に立設される所定の回転軸（不図示）と、当該回転軸を中心に回転可能であり扁平な円柱形状をなす回転体（不図示）とを有している。また、各案内ローラ１３は、回転体が、回転板１２の溝１２ｅに対し、相互に所定の摩擦力をともなって遊嵌するように構成されている。各案内ローラ１３の回転体が所定方向に回転することにより、回転板１２は回転軸を中心として同方向に円滑に回転するようになっている。
【００４６】
また、固定板１１には、回転板１２が固定板１１から外れないようにするためのストッパ１１３、回転板１２のギア１２ａと噛合して当該回転板１２に回転力を伝達する歯車１１２、当該歯車１１２を駆動する駆動源１１１等が設けられている。ここで、駆動源１１１は所定の駆動モータ１１１ａを有している。
【００４７】
更に、固定板１１には、前述した検出器１１４、回転板１２及び天井板１２３の外周の一部を取り囲んで例えばこれらを保護する側板１１５、後述する防止板１１６等が設けられている。
【００４８】
<<<防止板>>>
図８及び図９に例示されるように、本実施の形態の防止板１１６は、固定板１１上で駆動源１１１側に立設された例えば金属製の板である。この防止板１１６は、商品収納室１２４からの商品のはみ出しを防止するための板である。
【００４９】
同図の例示では、防止板１１６は、固定板１１上で、回転板１２のギア１２ａと歯車１１２との噛合部分の近傍且つ回転板１２及び天井板１２３の外周の一部の近傍に立設されており、２箇所で折り曲げられている板材における最も自動販売機１の正面側（＋Ｘ側）に近い部分である。
【００５０】
この防止板１１６は、上下方向（Ｚ軸方向）において上側（＋Ｚ側）に向かうほど回転板１２及び天井板１２３との距離が長くなり、且つ、固定板１１上の面（ＸＹ面）において回転板１２及び天井板１２３の回転方向（例えば反時計方向）に向かうほどに当該回転板１２及び天井板１２３との距離が短くなる形状をなすものである。
【００５１】
===メンテナンスや各種変更等の容易性===
本実施の形態の自動販売機１の商品収納装置１０は、少なくとも、回転板１２と、天井板１２３と、回転板１２に固定される下側仕切板１２２１並びに天井板１２３及び下側仕切板１２２１の間をスライドしながら装着される上側仕切板１２２２を有する仕切板１２２とを備えている。
【００５２】
この商品収納装置１０によれば、先ず下側仕切板１２２１を回転板１２に固定し、次に上側仕切板１２２２を天井板１２３及び下側仕切板１２２１の間をスライドしながら装着することにより、天井板１２３及び回転板１２の双方が支柱１２５に軸支された状態で仕切板１２２の取り付けができる。逆に、先ず上側仕切板１２２２を天井板１２３及び下側仕切板１２２１の間をスライドしながら取り外し、次に下側仕切板１２２１を回転板１２から取り外すことにより、天井板１２３及び回転板１２の双方が支柱１２５に軸支された状態で仕切板１２２の取り外しができる。これにより、例えば、複数の仕切板１２２のうちの一部に対し交換や洗浄等を行う場合、ルートマンは、天井板１２３及び回転板１２の双方が支柱１２５に軸支され且つ他の仕切板１２２が装着されている状態で、該当する仕切板１２２のみを取り外してこのようなメンテナンスを施した後に元の位置に取り付けることができる。また、例えば、商品収納室１２４の数や大きさ等を変更する場合、ルートマンは、天井板１２３及び回転板１２の双方が支柱１２５に軸支され且つ仕切板１２２が装着されている状態で、該当する仕切板１２２のみを所定の位置に取り付けたり又は所定の位置から取り外したりすることができる。以上から、本実施の形態の自動販売機１の商品収納装置１０によれば、商品収納室１２４のメンテナンスや各種変更等の作業が容易になる。
【００５３】
尚、天井板１２３、上側仕切板１２２２、及び下側仕切板１２２１における前述したスライドにかかる構成は、図５等の例示に限定されるものではない。
【００５４】
例えば、天井板１２３の裏側に凸形状をなす嵌入部材や被挟持部材等を形成する一方、下側仕切板１２２１の上側に凹形状をなす溝や挟持部材等を形成してもよい。この場合、上側仕切板１２２２は、その上側において、天井板１２３に対してスライドするべく凹形状をなす溝や挟持部材等を備える一方、その下側において、下側仕切板１２２１に対してスライドするべく凸形状をなす嵌入部材や被挟持部材等を備える必要がある。
【００５５】
或いは、例えば、天井板１２３の裏側に凸形状をなす嵌入部材や被挟持部材等を形成する一方、下側仕切板１２２１の上側に凸形状をなす嵌入部材や被挟持部材等を形成してもよい。この場合、上側仕切板１２２２は、その上側において、天井板１２３に対してスライドするべく凹形状をなす溝や挟持部材等を備える一方、その下側において、下側仕切板１２２１に対してスライドするべく凹形状をなす溝や挟持部材等を備える必要がある。
【００５６】
また或いは、例えば、天井板１２３の裏側に凹形状をなす溝や挟持部材等を形成する一方、下側仕切板１２２１の上側に凹形状をなす溝や挟持部材等を形成してもよい。この場合、上側仕切板１２２２は、その上側において、天井板１２３に対してスライドするべく凸形状をなす嵌入部材や被挟持部材等を備える一方、その下側において、下側仕切板１２２１に対してスライドするべく凸形状をなす嵌入部材や被挟持部材等を備える必要がある。
【００５７】
また、前述した実施の形態の複数の挟持部材１２２２ｃは、被挟持部材１２２１ｅ、１２２１ｉの一側面を係止し次は他側面を係止するというように交互に配置されていたが、これに限定されるものではない。例えば、複数の挟持部材１２２２ｃは、被挟持部材１２２１ｅ、１２２１ｉの両側面をともに挟持する一対の鉤形状をなすように配置されていてもよい。また、例えば、挟持部材１２２２ｃは、被挟持部材１２２１ｅ、１２２１ｉの一側面全体を係止する幅広の形状をなすものであってもよい。
【００５８】
また、本実施の形態の自動販売機１の商品収納装置１０によれば、上側仕切板１２２２を下側仕切板１２２１に対し回転軸側にスライドしながら突起１２２２ｄ及び突起１２２１ｇを所定位置で係合させれば、その後の上側仕切板１２２２の抜けが防止される。これにより、天井板１２３及び回転板１２の間に仕切板１２２が一旦確実に取り付けられれば、例えば天井板１２３及び回転板１２の回転中にこの仕切板１２２が外れる等の不具合が生じ難くなる。
【００５９】
尚、上側仕切板１２２２及び下側仕切板１２２１における前述した第１突起部材にかかる構成は、図７等の例示に限定されるものではない。例えば、上側仕切板１２２２の挟持部材１２２２ｃに凸部を形成する一方、下側仕切板１２２１の被挟持部材１２２１ｅに凹部を形成して、この凸部及び凹部の係合によって、上側仕切板１２２２を装着するものであってもよい。或いは、例えば、上側仕切板１２２２の挟持部材１２２２ｃに凹部を形成する一方、下側仕切板１２２１の被挟持部材１２２１ｅに凸部を形成して、この凹部及び凸部の係合によって、上側仕切板１２２２を装着するものであってもよい。
【００６０】
また、第１突起部材の形状は、図７等に例示される突起１２２ｄのように半円柱形状に限定されるものではない。要するに上側仕切板１２２２及び下側仕切板１２２１が相互にスライドしつつ係合可能な形状であれば、例えば半多角柱形状や半球形状等、如何なる形状であってもよい。
【００６１】
但し、以上に限定されるものではなく、例えば、上側仕切板１２２２及び下側仕切板１２２１は、前述した第１突起部材にかかる弾性片１２２１ｆ、突起１２２ｄの構成を必ずしも備えていなくてもよい。例えば、上側仕切板１２２２を天井板１２３及び下側仕切板１２２１の間をスライドして装着する際に所定の摩擦力を要するようになっていれば、第１突起部材にかかる構成を備えていなくても、天井板１２３及び回転板１２の回転中に上側仕切板１２２２が外れる等の不具合は生じ難くい。第１突起部材にかかる構成を必要としない場合、商品収納装置１０の構成はその分単純化される。
【００６２】
また、本実施の形態の自動販売機１の商品収納装置１０によれば、上側仕切板１２２２を下側仕切板１２２１に対し回転軸側にスライドしながら突起１２２２ｄ及び弾性片１２２１ｆ上の突起１２２１ｇを所定位置で係合させる際、この上側仕切板１２２２を、弾性片１２２１ｆの弾性力に抗する力で、回転軸側に押しさえすればよい。また、この係合を解除する際も、上側仕切板１２２２を、弾性片１２２１ｆの弾性力に抗する力で、回転軸とは反対側に引きさえすればよい。これにより、仕切板１２２の取り付け又は取り外し作業が容易になる。
【００６３】
尚、上側仕切板１２２２及び下側仕切板１２２１における前述した弾性片にかかる構成は、図６や図７等の例示に限定されるものではない。例えば、上側仕切板１２２２の挟持部材１２２２ｃが前記係合の際に弾性力を生じるような形状又は素材で構成されていてもよい。この場合、下側仕切板１２２１の被挟持部材１２２１ｅは、前述したように弾性片１２２１ｆとして弾性力を生じる形状をなしていてもよいし、図６に例示される切り込みのない剛性な形状をなすものであってもよい。要するに、上側仕切板１２２２及び下側仕切板１２２１において係合可能な部材の少なくとも一方が、当該係合の際に弾性力を生じるものであれば如何なる構成であってもよい。
【００６４】
但し、以上に限定されるものではなく、例えば、上側仕切板１２２２及び下側仕切板１２２１は、前述した弾性片にかかる構成を必ずしも備えていなくてもよい。一般に、図７等に例示される突起１２２２ｄがＡＢ方向にスライドしつつ突起１２２１ｇに当接して乗り上げる際に、突起１２２２ｄ及び突起１２２１ｇのＡＢ方向と直交する方向の相対変位を、当該スライドに要する力に応じて設定することができる。よって、上側仕切板１２２２及び下側仕切板１２２１が剛性な素材や形状等を有する場合でも、突起１２２２ｄ、１２２１ｇを所定の大きさに設定すれば、前記スライドに要する力を許容範囲内にしつつ、上側仕切板１２２２及び下側仕切板１２２１を係合させることができる。弾性片にかかる構成を必要としない場合、商品収納装置１０の構成はその分単純化される。
【００６５】
また、本実施の形態の自動販売機１の商品収納装置１０によれば、もし上側仕切板１２２２の取り付け時に突起１２２２ｄ及び弾性片１２２１ｆ上の突起１２２１ｇ同士が係合していなかった場合でも、天井板１２３及び回転板１２の回転時に突片４１１ｂが当該上側仕切板１２２２の突起１２２２ｆを回転軸側に押圧することにより、前記係合が達成される。つまり、例えば、商品販売準備において、もし仕切板１２２の取り付けが確実でなかった場合でも、商品販売前に天井板１２３及び回転板１２を一度回転させることにより、前記取り付けを確実なものとできる。或いは、例えば、商品販売準備時に仕切板１２２の取り付けが確実でなかった場合でも、商品販売時に天井板１２３及び回転板１２が回転することにより、前記取り付けが確実なものとなり得る。これにより、結果的に、仕切板１２２の取り付け作業が容易になる。
【００６６】
尚、図８に例示される突起１２２２ｆは、上側（＋Ｚ側）から見た場合に、上側仕切板１２２２のスライド方向に天井板１２３の回転軸から最も離れ、同方向を中心としてこの最も離れた位置から天井板１２３の回転方向及びその反対方向の双方向に向かって前記回転軸に近づく傾斜形状をなすものであるため、この突起１２２２ｆの傾斜形状部分と突片４１１ｂとの当接を通じて、天井板１２３の中心側へ向かう押力が上側仕切板１２２２に対し作用する。
【００６７】
但し、これに限定されるものではなく、要するに、突起１２２２ｆ及び突片４１１ｂは、突起１２２２ｆが突片４１１ｂに当接しつつ回転軸の周りに回転することにより、突片４１１ｂによって突起１２２２ｆが回転軸側へ押し込まれるような形状を有していればよい。例えば、突起１２２２ｆが、上側仕切板１２２２のスライド方向に天井板１２３の回転軸から最も離れた位置から天井板１２３の回転方向に向かって前記回転軸に近づく傾斜形状をなしていれば、突片４１１ｂは、多角形状や円形状等の如何なる形状をなしていてもよい。或いは、突片４１１ｂが、扉４１ｂから天井板１２３側に最も離れた位置から天井板１２３の回転方向と反対方向に向かって扉４１ｂに近づく傾斜形状をなしていれば、突起１２２２ｆは、多角形状や円形状等の如何なる形状をなしていてもよい。
【００６８】
また、本実施の形態の自動販売機１の商品収納装置１０によれば、自動販売機１の本体は、天井板１２３及び回転板１２を取り囲む機能と、本実施の形態の押圧部材としての機能との双方を兼ね備えることができる。
【００６９】
但し、以上に限定されるものではなく、前述した押圧部材にかかる構成は、例えば、別個の部材として突起１２２２ｆの軌跡上の所定位置に設けられるものであってもよい。
【００７０】
また、本実施の形態の自動販売機１の商品収納装置１０では、前述した突起部材として、突片４１１ｂが扉４１ｂの内側に立設されている。この場合、例えば、商品販売時において、待機時に自動販売機１の奥側（例えば図８における検出器１１４の近傍）に位置していた商品収納室１２４が回転板１２の反時計方向の回転にともない正面側に移動する際、当該商品収納室１２４が商品取出口と対向する前に突片４１１ｂは該当する突起１２２２ｆを押圧するため、仕切板１２２の取り付けが商品販売前に確実になる。或いは、本実施の形態の回転板１２が図８における時計方向に回転する場合、例えば、ルートマンが、自動販売機１の商品取出口に回転板１２上の或るスペースを対向させた状態で、この商品取出口を通じて当該或るスペースに上側仕切板１２２２及び下側仕切板１２２１を取り付けた後に、この回転板１２を時計方向に回転させれば、突片４１１ｂは該当する突起１２２２ｆを押圧するため、仕切板１２２の取り付けが商品販売前に確実になる。
【００７１】
尚、前述した押圧部材にかかる構成は、図８の例示に限定されるものではなく、要するに、突起１２２２ｄ及び突起１２２１ｇ同士の係合が不完全な上側仕切板１２２２の突起１２２２ｆのみに当接し、これを押圧して前記係合を完全なものにする形状を有する突片であれば如何なるものであってもよい。
【００７２】
但し、以上に限定されるものではなく、例えば、前述した押圧部材にかかる構成は、必ずしも扉４１ｂに形成されるものでなくてもよい。
【００７３】
===商品収納の容易性===
本実施の形態の自動販売機１の商品収納装置１０は、少なくとも、複数の商品収納室１２４を画成する、回転軸に対して放射状に配置される複数の仕切板１２２を有し、商品の販売時、販売するべき商品を収納する一の商品収納室１２４が商品取出口に対向するように回転する回転板１２と、上側に向かうほどに回転板１２との距離が長くなり且つ回転板１２の回転方向に向かうほどに回転板１２との距離が短くなる形状を有し、商品収納室１２４に収納される商品のはみ出しを防止する防止板１１６とを備えている。
【００７４】
本実施の形態の自動販売機１の商品収納装置１０によれば、もし商品収納室１２４から商品がはみ出している場合には、回転板１２とともに回転する商品は、防止板１１６を通過する際に当該防止板１１６に案内されて商品収納室１２４に確実に収納される。即ち、はみ出した商品が防止板１１６に当接するとき、当接している間中そのはみ出した部分が防止板１１６により上側から下側へ向かって案内されるとともに、当接時間の経過につれてそのはみ出した部分が防止板１１６により回転板１２の中心へ向かって案内される。よって、もし商品収納時に、一部の商品収納室１２４の収納が不完全であった場合でも、回転板１２の回転時に、はみ出した商品を防止板１１６が商品収納室１２４に案内することにより、商品の収納が完全なものとなる。従って、例えばルートマンが、商品収納時間の短縮のために一の商品収納室１２４内に一の商品を配置する基本動作を単純に速めた結果、商品収納室１２４から商品がはみ出す確率がたとえ高くなったとしても、例えば商品販売時に回転板１２が回転すれば、はみ出した商品は商品収納室１２４に確実に収納される。これにより、結果的に、商品収納作業が容易になる。
【００７５】
尚、図８及び図９に例示される防止板１１６は、単に傾斜した平板となっているが、これに限定されるものではなく、例えば、曲面形状をなす板であってもよい。この曲面は、例えば、回転板１２及び天井板１２３側に凹形状をなす曲面であってもよいし、又は凸形状をなす曲面であってもよい。或いは、曲面ではなく、例えば屈曲面であってもよい。要するに、防止板１１６の形状は、上下方向において上側に向かうほど回転板１２及び天井板１２３との距離が長くなり、且つ、固定板１１上の面において回転板１２及び天井板１２３の回転方向（例えば反時計方向）に向かうほどに当該回転板１２及び天井板１２３との距離が短くなる形状であれば、いかなる形状であってもよい。
【００７６】
===その他の実施の形態===
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００７７】
前述した実施の形態では、回転板１２には支持板１２２’が設けられていたが、これに限定されるものではなく、例えば、支持板１２２’の代わりに全て仕切板１２２が使用されてもよい。この場合、天井板１２３及び回転板１２は、支柱１２５のみにより軸支されて、図４に例示される形状を保持するものとする。
【００７８】
また、前述した実施の形態では、回転板１２は、固定板１１上で、円形溝１２ｂ及び案内ローラ１３を介して回転可能な構成をとっていたが、これに限定されるものではない。例えば、回転板１２は、自動販売機１に設けられる所定の回転軸（不図示）を中心として回転可能な構成をとるものであってもよい。
【００７９】
また、前述した実施の形態では、下側仕切板１２２１を回転板１２上に立設するための構成は、挿入孔１２ｂ、１２ｄ及び突片１２２１ａ、１２２１ｂ、１２２１ｃ、１２２１ｄであったが、これに限定されるものではない。要するに、天井板１２３及び回転板１２が支柱１２５に固設された状態で、下側仕切板１２２１を回転板１２上に立設可能にするための構成であれば如何なる構成であってもよい。
【００８０】
また、前述した実施の形態では、下側仕切板１２２１の突片１２２１ａは、検出器１１４の検出対象を兼ねたものであったが、これに限定されるものではない。例えば、検出対象は回転板１２の裏側に別途取り付け可能に構成されていてもよい。
【００８１】
また、前述した実施の形態では、天井板１２３及び回転板１２と固定板１１とは商品収納装置１０の１つのユニットを構成し、これらのユニットが複数に集まって商品収納装置５を構成するものであったが、これに限定されるものではない。例えば、複数組の天井板１２３及び回転板１２が前述した所定の回転軸を中心としてともに回転可能な構成をとるものであってもよい。
【００８２】
また、前述した実施の形態では、上側仕切板１２２２及び下側仕切板１２２１のそれぞれは、突起、突片、挟持部材、被挟持部材等の部材が本体と一体成形されたものであったが、これに限定されるものではなく、例えば、これらの部材の一部又は全部が本体に対し着脱可能に構成されていてもよい。
【００８３】
また、前述した実施の形態では、商品収納装置１０は、例えば、側板１１５、防止板１１６、支柱１２５等以外は概ね樹脂製であったが、これに限定されるものではなく、例えば、樹脂の代わりに金属が使用されていてもよい。
【図面の簡単な説明】
【００８４】
【図１】本実施の形態の自動販売機の外観構成例を示す正面図である。
【図２】本実施の形態の商品取出装置及び商品収納装置の構成例を示す斜視図である。
【図３】本実施の形態の商品収納装置の構成例を示す斜視図である。
【図４】本実施の形態の回転板、支持板、及び天井板の構成例を示す斜視図である。
【図５】本実施の形態の仕切板の構成例を示す斜視図である。
【図６】本実施の形態の下側仕切板の構成例を示す部分斜視図である。
【図７】本実施の形態の仕切板における線ＡＢでの部分断面の構成例を示す部分断面図である。
【図８】本実施の形態の固定板の構成例を示す平面図である。
【図９】本実施の形態の固定板の構成例を示す斜視図である。
【符号の説明】
【００８５】
１  自動販売機                      ２  前扉
３  商品取出装置                    ５、１０  商品収納装置
１２  回転板                        １２ａ  ギア
１２ｂ、１２ｄ  挿入孔              １２ｃ  側壁
１２ｅ  溝                          １３  案内ローラ
２１  紙幣挿入口                    ２２  硬貨投入口
２３  返却レバー                    ２４  返却口
２５  ハンドル                      ３１  枠体
３１ａ、３１ｂ  化粧フレーム        ３２  販売釦
４０  扉開閉装置                    ４１ａ、４１ｂ  扉
４２  レール台                      １１１  駆動源
１１１ａ  駆動モータ                １１２  歯車
１１３  ストッパ                    １１４  検出器
１１５  側板                        １１６  防止板
１２２  仕切板                      １２２’支持板
１２３  天井板                      １２３ａ、１２３ｃ  溝
１２３ｂ  挿入孔                    １２３ｄ  固定片
１２４  商品収納室                  １２５  支柱
１２２１  下側仕切板                １２２１ａ  突片
１２２１ｂ  突片                    １２２１ｃ  突片
１２２１ｄ  突片                    １２２１ｅ  被挟持部材
１２２１ｆ  弾性片                  １２２１ｇ  突起
１２２１ｈ  縁                      １２２１ｉ  被挟持部材
１２２２  上側仕切板                １２２２ａ  本体
１２２２ｂ  嵌入部材                １２２２ｃ  挟持部材
１２２２ｄ  突起                    １２２２ｅ  把持部材
１２２２ｆ  突起                    ４１１ｂ  突片
【図１】
0005130873.tif 000002
【図２】
0005130873.tif 000003
【図３】
0005130873.tif 000004
【図４】
0005130873.tif 000005
【図５】
0005130873.tif 000006
【図６】
0005130873.tif 000007
【図７】
0005130873.tif 000008
【図８】
0005130873.tif 000009
【図９】
0005130873.tif 000010